【手続補正書】
【提出日】平成23年7月13日(2011.7.13)
【手続補正１】
【補正対象書類名】特許請求の範囲
【補正対象項目名】全文
【補正方法】変更
【補正の内容】
【特許請求の範囲】
【請求項１】
赤光、緑光、及び青光をそれぞれ出力するように構成された赤、緑、及び青のインターフェロメトリックモジュレータを各々具備する複数の画素を具備するディスプレイであって、前記画素の各々は、前記インターフェロメトリックモジュレータの各々が赤光、緑光、及び青光を出力するように設定されたときに赤光よりも高い強度の緑光を出力するように構成されさらに青光よりも高い強度の緑光を出力するように構成される、ディスプレイ。
【請求項２】
前記複数の画素の各々の前記インターフェロメトリックモジュレータの各々は、反射面積を有し、各画素の前記緑のインターフェロメトリックモジュレータは、各画素の前記赤のインターフェロメトリックモジュレータよりも大きく、さらに各画素の前記青のインターフェロメトリックモジュレータよりも大きい総反射面積を有する請求項１に記載のディスプレイ。
【請求項３】
前記複数の画素の各々は、青光を出力するように構成されたインターフェロメトリックモジュレータよりも多くの数の、緑光を出力するように構成されたインターフェロメトリックモジュレータを具備する請求項１に記載のディスプレイ。
【請求項４】
前記複数の画素の各々は、赤光を出力するように構成されたインターフェロメトリックモジュレータよりも多くの数の、緑光を出力するように構成されたインターフェロメトリックモジュレータを具備する請求項１に記載のディスプレイ。
【請求項５】
赤光を出力するように構成された前記インターフェロメトリックモジュレータは、前記より高い強度の緑光に関して補整するために選択された波長を有する赤光を出力するように構成される請求項１に記載のディスプレイ。
【請求項６】
赤光を出力するよう構成された前記インターフェロメトリックモジュレータは、光学路長を特徴とし、赤光を出力するように構成された前記インターフェロメトリックモジュレータの前記光学路長は、第２次数の赤の反射を生成するために赤光と関連づけられた約１つの波長λと実質的に等しい請求項１に記載のディスプレイ。
【請求項７】
青光を出力するように構成された前記インターフェロメトリックモジュレータは、前記より高い強度の緑光に関して補整するために選択された波長を有する青光を出力するように構成される請求項１に記載のディスプレイ。
【請求項８】
青光を出力するよう構成された前記インターフェロメトリックモジュレータは、光学路長を特徴とし、青光を出力するように構成された前記インターフェロメトリックモジュレータの前記光学路長は、第２次数の青の反射を生成するために青光と関連づけられた約１つの波長λと実質的に等しい請求項１に記載のディスプレイ。
【請求項９】
前記複数の画素と電気的通信状態にあるプロセッサであって、画像データを処理するように構成されたプロセッサと、
前記プロセッサと電気的通信状態にあるメモリ装置と、をさらに具備する請求項１に記載のディスプレイ。
【請求項１０】
少なくとも１つの信号を前記ディスプレイに送るように構成されたドライバ回路をさらに具備する請求項９に記載のディスプレイ。
【請求項１１】
前記画像データの少なくとも一部分を前記ドライバ回路に送るように構成されたコントローラをさらに具備する請求項１０に記載のディスプレイ。
【請求項１２】
前記画像データを前記プロセッサに送るように構成された画像ソースモジュールをさらに具備する請求項９に記載のディスプレイ。
【請求項１３】
前記画像ソースモジュールは、受信機、トランシーバ、及び送信機のうちの少なくとも１つを具備する請求項１２に記載のディスプレイ。
【請求項１４】
入力データを受け取るように及び前記入力データを前記プロセッサに伝達するように構成された入力装置をさらに具備する請求項９に記載のディスプレイ。
【請求項１５】
ディスプレイを製造する方法であって、
複数の画素を形成することを具備し、前記複数の画素を形成することは、赤光を出力するように構成されたインターフェロメトリックモジュレータを形成することと、緑光を出力するように構成されたインターフェロメトリックモジュレータを形成することと、青光を出力するように構成されたインターフェロメトリックモジュレータを形成すること、とを具備し、前記画素の各々は、前記インターフェロメトリックモジュレータの各々が赤光、緑光、及び青光を出力するように設定されたときに赤光よりも高い強度の緑光を出力するように構成され、さらに青光よりも高い強度の緑光を出力するように構成される、方法。
【請求項１６】
前記複数の画素の各々の前記インターフェロメトリックモジュレータの各々は、反射面積を有し、各画素の前記緑のインターフェロメトリックモジュレータは、各画素の前記赤のインターフェロメトリックモジュレータよりも大きく、さらに各画素の前記青のインターフェロメトリックモジュレータよりも大きい総反射面積を有する請求項１５に記載の方法。
【請求項１７】
前記複数の画素の各々は、青光を出力するように構成されたインターフェロメトリックモジュレータよりも多くの数の、緑光を出力するように構成されたインターフェロメトリックモジュレータを具備する請求項１５に記載の方法。
【請求項１８】
前記複数の画素の各々は、赤光を出力するように構成されたインターフェロメトリックモジュレータよりも多くの数の、緑光を出力するように構成されたインターフェロメトリックモジュレータを具備する請求項１５に記載の方法。
【請求項１９】
赤光を出力するように構成された前記インターフェロメトリックモジュレータを形成することは、前記より高い強度の緑光に関して補整するために選択された波長を有する赤光を出力するために前記インターフェロメトリックモジュレータを形成することを具備する請求項１５に記載の方法。
【請求項２０】
青光を出力するよう構成された前記インターフェロメトリックモジュレータを形成することは、前記より高い強度の緑光に関して補整するために選択された波長を有する青光を出力するために前記インターフェロメトリックモジュレータを形成することを具備する請求項１５に記載の方法。
【請求項２１】
請求項１５乃至２０のいずれか１に記載の方法によって製造されるディスプレイ。
【請求項２２】
赤光、緑光、及び青光をそれぞれ出力するように構成された赤、緑、及び青のインターフェロメトリックモジュレータを各々具備する複数の画素を具備するディスプレイであって、前記画素の各々は、赤光よりも高い強度の緑光を出力するように構成されるとともに青光よりも高い強度の緑光を出力するように構成され、赤光を出力するように構成された前記インターフェロメトリックモジュレータ及び青光を出力するように構成された前記インターフェロメトリックモジュレータのうちの少なくとも１つは、前記より高い強度の緑光に関して補整するために選択される波長を有する光を出力するように構成される、ディスプレイ。
【請求項２３】
前記赤、緑、及び青のインターフェロメトリックモジュレータの各々を各々の時間にわたって駆動するように構成された回路をさらに具備し、前記緑のインターフェロメトリックモジュレータと関連づけられた前記時間は、前記赤及び青のインターフェロメトリックモジュレータと関連づけられた前記各々の時間よりも長い請求項２２に記載のディスプレイ。
【請求項２４】
前記波長は、第２次数の赤の反射を生成するために赤光と関連づけられた約１つの波長λと実質的に等しくなるように選択される請求項２２に記載のディスプレイ。
【請求項２５】
前記波長は、第２次数の青の反射を生成するために青光と関連づけられた約１つの波長λと実質的に等しくなるように選択される請求項２２に記載のディスプレイ。
【請求項２６】
赤光を出力する複数の手段と、
緑光を出力する複数の手段と、
青光を出力する複数の手段と、を具備し、前記赤、緑、及び青を出力する手段は、画素を表示する手段を形成し、前記画素を表示する手段の各々は、前記赤、緑、及び青を出力する手段が赤光、緑光、及び青光を出力するように設定されたときに青光よりも高い強度の緑光を出力するように構成される、ディスプレイ。
【請求項２７】
前記画素を表示する手段は、画素を具備する請求項２６に記載のディスプレイ。
【請求項２８】
前記赤、緑、及び青を出力する手段は、赤光、緑光、及び青光をそれぞれ出力するように構成された赤、緑、及び青のインターフェロメトリックモジュレータを具備する請求項２７に記載のディスプレイ。
【請求項２９】
各画素の前記緑のインターフェロメトリックモジュレータの前記総反射面積は、各画素の前記赤のインターフェロメトリックモジュレータの総反射面積よりも大きく、各画素の前記緑のインターフェロメトリックモジュレータの前記総反射面積は、各画素の前記青のインターフェロメトリックモジュレータの総反射面積よりも大きい請求項２８に記載のディスプレイ。
【請求項３０】
画素を具備するディスプレイであって、
前記画素は、複数のインターフェロメトリックモジュレータを具備し、
前記複数のインターフェロメトリックモジュレータは、
赤光を出力するように構成された少なくとも１つのインターフェロメトリックモジュレータと、
緑光を出力するように構成された少なくとも１つのインターフェロメトリックモジュレータと、
青光を出力するように構成された少なくとも１つのインターフェロメトリックモジュレータと、
第１の白光を出力するように構成された少なくとも１つのインターフェロメトリックモジュレータと、
を具備し、
前記赤光を出力するように構成された前記少なくとも１つのインターフェロメトリックモジュレータ、前記緑光を出力するように構成された前記少なくとも１つのインターフェロメトリックモジュレータ、前記青光を出力するように構成された前記少なくとも１つのインターフェロメトリックモジュレータ、及び、前記第１の白光を出力するように構成された前記少なくとも１つのインターフェロメトリックモジュレータは、結合された光を出力するように構成され、標準化白点を有する第２の白光を生成する、ディスプレイ。
【請求項３１】
前記標準化白点は、Ｄ５５、Ｄ６５、又はＤ７５のうちの１つである請求項３０に記載のディスプレイ。
【請求項３２】
前記複数のインターフェロメトリックモジュレータに関する照明源をさらに具備し、
前記照明源は、前記標準化白点と異なる白点を有する請求項３０に記載のディスプレイ。
【請求項３３】
前記第１の白光を出力するように構成された前記少なくとも１つのインターフェロメトリックモジュレータは、広帯域反射体を具備する請求項３０に記載のディスプレイ。
【請求項３４】
前記第１の白光は、スペクトル応答において３つの可視ピークを有する請求項３０に記載のディスプレイ。
【請求項３５】
前記３つの可視ピークは、赤光ピーク、緑光ピーク及び青光ピークに対応する請求項３４に記載のディスプレイ。
【請求項３６】
画素を具備するディスプレイであって、
前記画素は、複数の表示素子を具備し、
前記表示素子の各々は、部分的反射面に対して移動し、かつ、前記部分的反射面からある距離の地点に配置されるように構成された反射面を具備し、
前記複数の表示素子は、色付き光を出力するように構成された少なくとも１つの表示素子と、第１の白光を出力するように構成された少なくとも１つの表示素子とを具備し、
前記色付き光を出力するように構成された前記少なくとも１つの表示素子、及び、前記第１の白光を出力するように構成された前記少なくとも１つの表示素子は、結合された光を出力するように構成され、標準化白点を有する第２の白光を生成する、ディスプレイ。
【請求項３７】
前記標準化白点は、Ｄ５５、Ｄ６５、又はＤ７５のうちの１つである請求項３６に記載のディスプレイ。
【請求項３８】
前記複数の表示素子に関する照明源をさらに具備する請求項３６に記載のディスプレイ。
【請求項３９】
前記照明源は、前記標準化白点と異なる白点を有する請求項３８に記載のディスプレイ。
【請求項４０】
前記複数の表示素子は、赤光を出力するように構成された少なくとも１つの表示素子と、緑光を出力するように構成された少なくとも１つの表示素子と、青光を出力するように構成された少なくとも１つの表示素子と、を具備する請求項３６に記載のディスプレイ。
【請求項４１】
前記反射面は、電界の適用領域を移動する移動可能ミラーを具備する請求項３６に記載のディスプレイ。
【請求項４２】
前記複数の表示素子は、複数のインターフェロメトリックモジュレータを具備する請求項３６に記載のディスプレイ。
【請求項４３】
前記第１の白光を出力するように構成された前記少なくとも１つの表示素子は、複数の可視共鳴波長の公倍数に対応する前記反射面と前記部分的反射面との間の光学路長を有する請求項３６に記載のディスプレイ。
【請求項４４】
前記複数の可視共鳴波長は、赤光共鳴波長と、緑光共鳴波長と、青光共鳴波長とを具備する請求項４３に記載のディスプレイ。
【請求項４５】
前記第１の白光は、スペクトル応答において３つの可視ピークを有する請求項３６に記載のディスプレイ。
【請求項４６】
前記３つの可視ピークは、赤光ピーク、緑光ピーク及び青光ピークに対応する請求項４５に記載のディスプレイ。
【請求項４７】
前記第１の白光を出力するように構成された前記少なくとも１つの表示素子は、広帯域反射体を具備する請求項３６に記載のディスプレイ。
【請求項４８】
前記複数の表示素子と電気的通信状態にあるプロセッサであって、画像データを処理するように構成されたプロセッサと、
前記プロセッサと電気的通信状態にあるメモリ装置と、をさらに具備する請求項３６に記載のディスプレイ。
【請求項４９】
少なくとも１つの信号を前記複数の表示素子に送るように構成されたドライバ回路をさらに具備する請求項４８に記載のディスプレイ。
【請求項５０】
前記画像データの少なくとも一部分を前記ドライバ回路に送るように構成されたコントローラをさらに具備する請求項４９に記載のディスプレイ。
【請求項５１】
前記画像データを前記プロセッサに送るように構成された画像ソースモジュールをさらに具備する請求項４８に記載のディスプレイ。
【請求項５２】
前記画像ソースモジュールは、受信機、トランシーバ、及び送信機のうちの少なくとも１つを具備する請求項５１に記載のディスプレイ。
【請求項５３】
入力データを受け取るように及び前記入力データを前記プロセッサに伝達するように構成された入力装置をさらに具備する請求項４８に記載のディスプレイ。
【請求項５４】
画素を形成することを具備するディスプレイを製造する方法であって、
前記画素を形成することは、光を出力するように構成された複数の表示素子を形成することを具備し、
前記複数の表示素子の各々は、部分的反射面に対して移動し、かつ、前記部分的反射面からある距離の地点に配置されるように構成された反射面を具備し、
前記複数の表示素子のうちの少なくとも１つの表示素子が色付き光を出力するように構成され、かつ、前記複数の表示素子のうちの少なくとも他の１つの表示素子が第１の白光を出力するように構成される状態に、それぞれの前記距離が選択され、
前記色付き光を出力するように構成された前記少なくとも１つの表示素子、及び、前記第１の白光を出力するように構成された前記少なくとも１つの表示素子は、結合された光を出力するように構成され、標準化白点を有する第２の白光を生成する、方法。
【請求項５５】
前記色付き光を出力するように構成された前記少なくとも１つの表示素子を形成することは、赤光を出力するように構成された少なくとも１つの表示素子、緑光を出力するように構成された少なくとも１つの表示素子、及び青光を出力するように構成された少なくとも１つの表示素子を形成することを具備する請求項５４に記載の方法。
【請求項５６】
前記第２の白光は、前記ディスプレイを照明する光と異なる白点を有する請求項５４に記載の方法。
【請求項５７】
前記標準化白点は、Ｄ５５、Ｄ６５、又はＤ７５のうちの１つである請求項５４に記載の方法。
【請求項５８】
請求項５４乃至５７のいずれか１に記載の方法によって製造されるディスプレイ。
【請求項５９】
画素を具備するディスプレイであって、
前記画素は、色付き光を出力するための手段と、第１の白光を出力するための手段とを具備し、
前記色付き光を出力するための手段、及び、前記第１の白光を出力するための手段は、結合された光を出力するように構成され、標準化白点を有する第２の白光を生成する、ディスプレイ。
【請求項６０】
前記色付き光を出力するための手段、及び、前記第１の白光を出力するための手段は、複数の表示素子を具備し、
前記表示素子の各々は、部分的反射面に対して移動し、かつ、前記部分的反射面からある距離の地点に配置されるように構成された反射面を具備する請求項５９に記載のディスプレイ。
【請求項６１】
前記標準化白点は、Ｄ５５、Ｄ６５、又はＤ７５のうちの１つである請求項５９に記載のディスプレイ。
【請求項６２】
前記色付き光を出力するための手段、及び、前記第１の白光を出力するための手段によって生成される前記第２の白光と異なる白点を有する照明手段をさらに具備する請求項５９に記載のディスプレイ。
【請求項６３】
複数の画素を具備するディスプレイであって、
前記画素の各々は、
少なくとも１つの赤の副画素と、
少なくとも１つの緑の副画素と、
少なくとも１つの青の副画素と、
少なくとも１つの白の副画素と、
を具備し、
前記少なくとも１つの赤の副画素、前記少なくとも１つの緑の副画素、前記少なくとも１つの青の副画素、及び、前記少なくとも１つの白の副画素は、結合された光を出力するように構成され、標準化白点を有する白光を生成する、ディスプレイ。
【請求項６４】
前記標準化白点は、Ｄ５５、Ｄ６５、又はＤ７５のうちの１つである請求項６３に記載のディスプレイ。
【請求項６５】
前記複数の画素は、複数のインターフェロメトリックモジュレータを具備する請求項６３に記載のディスプレイ。
【請求項６６】
前記複数の表示素子に関する照明源をさらに具備する請求項６３に記載のディスプレイ。
【請求項６７】
前記照明源は、前記標準化白点と異なる白点を有する請求項６６に記載のディスプレイ。
【請求項６８】
画素を具備するディスプレイであって、
前記画素は、複数のインターフェロメトリックモジュレータを具備し、
前記複数のインターフェロメトリックモジュレータは、
赤光を出力するように構成された少なくとも１つのインターフェロメトリックモジュレータと、
緑光を出力するように構成された少なくとも１つのインターフェロメトリックモジュレータと、
青光を出力するように構成された少なくとも１つのインターフェロメトリックモジュレータと、
白光を出力するように構成された少なくとも１つのインターフェロメトリックモジュレータと、
を具備し、
前記白光を出力するように構成された前記少なくとも１つのインターフェロメトリックモジュレータは、標準化白点を有する白光を出力し、
前記白光を出力するように構成された前記少なくとも１つのインターフェロメトリックモジュレータは、赤光を出力するように構成された少なくとも１つのインターフェロメトリックモジュレータ、緑光を出力するように構成された少なくとも１つのインターフェロメトリックモジュレータ、及び、青光を出力するように構成された少なくとも１つのインターフェロメトリックモジュレータの少なくとも１つを組み合わせて作動されるように構成されているディスプレイ。
【請求項６９】
赤光を出力するように構成された前記少なくとも１つのインターフェロメトリックモジュレータ、緑光を出力するように構成された前記少なくとも１つのインターフェロメトリックモジュレータ、及び、青光を出力するように構成された前記少なくとも１つのインターフェロメトリックモジュレータは、第２の標準化白点を有する白光を生成するために結合する光を出力するように構成される請求項６８に記載のディスプレイ。
【請求項７０】
前記白光を出力するように構成された前記少なくとも１つのインターフェロメトリックモジュレータの前記標準化白点は、前記第２の標準化白点と実質的に一致する請求項６９に記載のディスプレイ。
【請求項７１】
前記標準化白点は、Ｄ５５、Ｄ６５、又はＤ７５のうちの１つである請求項６８に記載のディスプレイ。
【請求項７２】
前記複数のインターフェロメトリックモジュレータに関する照明源であって、前記出力された白光の前記標準化白点とは異なる白点を有する照明源をさらに具備する請求項６８に記載のディスプレイ。
【請求項７３】
前記白光を出力するように構成された前記少なくとも１つのインターフェロメトリックモジュレータは、シアン光を出力するように構成された少なくとも１つのインターフェロメトリックモジュレータと、黄光を出力するように構成された少なくとも１つのインターフェロメトリックモジュレータとを具備し、
前記シアン光及び前記黄光は、前記白光を生成するために結合する請求項６８に記載のディスプレイ。
【請求項７４】
前記白光を出力するように構成された前記少なくとも１つのインターフェロメトリックモジュレータは、広帯域反射体を具備する請求項６８に記載のディスプレイ。
【請求項７５】
前記白光を出力するように構成された前記少なくとも１つのインターフェロメトリックモジュレータは、緑光を出力するように構成された少なくとも１つのインターフェロメトリックモジュレータを具備する請求項６８に記載のディスプレイ。
【請求項７６】
前記緑光を出力するように構成された前記少なくとも１つのインターフェロメトリックモジュレータと関連づけられた少なくとも１つのフィルタであって、白光で照明されたときにマゼンタ光と関連づけられた可視波長を選択的に透過させ、さらにその他の可視波長を実質的にフィルタリングするように構成された少なくとも１つのフィルタ、をさらに具備する請求項７５に記載のディスプレイ。
【請求項７７】
前記白光は、スペクトル応答において３つの可視ピークを有する請求項６８に記載のディスプレイ。
【請求項７８】
前記３つの可視ピークは、赤光ピーク、緑光ピーク及び青光ピークに対応する請求項７７に記載のディスプレイ。
【請求項７９】
画素を具備するディスプレイであって、
前記画素は、複数の表示素子を具備し、
前記複数の表示素子は、複数のインターフェロメトリックモジュレータを具備し、
前記複数の表示素子は、色付き光を出力するように構成された少なくとも１つの色付き光表示素子と、白光を出力するように構成された少なくとも１つの表示素子とを具備し、
前記白光を出力するように構成された前記少なくとも１つの表示素子は、標準化白点を有する白光を出力し、
前記白光を出力するように構成された前記少なくとも１つの表示素子は、前記少なくとも１つの色付き光表示素子のなかの少なくとも１つを組み合わせて作動されるように構成されているディスプレイ。
【請求項８０】
前記少なくとも１つの色付き光表示素子は、赤光、緑光、及び青光をそれぞれ出力するように構成された赤光、緑光、及び青光の表示素子を具備する請求項７９に記載のディスレイ。
【請求項８１】
前記複数の表示素子に関する照明源であって、前記標準化白点と異なる白点を有する照明源をさらに具備する請求項７９に記載のディスプレイ。
【請求項８２】
前記白光を出力するように構成された前記少なくとも１つの表示素子は、シアン光を出力するように構成された少なくとも１つの表示素子と、黄光を出力するように構成された少なくとも１つの表示素子とを具備し、
前記シアン光及び前記黄光は、前記白光を生成するために結合する請求項７９に記載のディスプレイ。
【請求項８３】
前記白光を出力するように構成された前記少なくとも１つの表示素子は、緑光を出力するように構成された少なくとも１つの表示素子を具備する請求項７９に記載のディスプレイ。
【請求項８４】
前記緑光を出力するように構成された前記少なくとも１つの表示素子と関連づけられた少なくとも１つのフィルタであって、白光で照明されたときにマゼンタ光と関連づけられた可視波長を選択的に透過させ、さらにその他の可視波長を実質的にフィルタリングするように構成された少なくとも１つのフィルタ、をさらに具備する請求項８３に記載のディスプレイ。
【請求項８５】
前記白光は、スペクトル応答において３つの可視ピークを有する請求項７９に記載のディスプレイ。
【請求項８６】
前記３つの可視ピークは、赤光ピーク、緑光ピーク及び青光ピークに対応する請求項８５に記載のディスプレイ。
【請求項８７】
前記白光を出力するように構成された前記少なくとも１つの表示素子は、広帯域反射体を具備する請求項７９に記載のディスプレイ。
【請求項８８】
画素を具備するディスプレイであって、
前記画素は、画像を表示する手段を具備し、
前記表示する手段は、色付き光を出力する手段と白光を出力する手段とを具備し、
前記白光を出力する手段は、標準化白点を有する白光を出力し、
前記白光を出力する手段は、前記色付き光を出力する手段を組み合わせて作動されるように構成され、
前記表示する手段は、複数の表示素子を具備し、
前記複数の表示素子は、複数のインターフェロメトリックモジュレータを具備するディスプレイ。
【請求項８９】
前記色付き光を出力する手段は、色付き光を出力するように構成された少なくとも１つ
の表示素子を具備する請求項８８に記載のディスプレイ。
【請求項９０】
前記白光を出力する手段は、白光を出力するように構成された少なくとも１つの表示素
子を具備する請求項８８に記載のディスプレイ。
【請求項９１】
前記白光を出力する手段は、前記ディスプレイに照射される光と異なる白点を有するように前記白光を出力する請求項８８に記載のディスプレイ。
【請求項９２】
画素を形成することを具備するディスプレイを製造する方法であって、
前記画素を形成することは、複数の表示素子を形成することを具備し、
前記複数の表示素子を形成することは、色付き光を出力するように構成された少なくとも１つの色付き光表示素子、及び、白光を出力するように構成された少なくとも１つの表示素子を形成することを具備し、
前記白光を出力するように構成された前記少なくとも１つの表示素子は、標準化白点を有する白光を出力するように構成され、
前記白光を出力するように構成された前記少なくとも１つの表示素子は、少なくとも１つの色付き光表示素子を組み合わせて作動されるように構成され、
前記複数の表示素子は、複数のインターフェロメトリックモジュレータを具備する方法。
【請求項９３】
前記少なくとも１つの色付き表示素子は、赤光、緑光、及び青光をそれぞれ出力するように構成された赤光、緑光、及び青光の表示素子を具備する請求項９２に記載の方法。
【請求項９４】
前記白光を出力するように構成された前記少なくとも１つの表示素子は、前記ディスプレイに照射される光と異なる白点を有するように前記白光を出力する請求項９２に記載の方法。
【請求項９５】
請求項９２乃至９４のうちのいずれかに記載の方法によって製造されるディスプレイ。
【請求項９６】
画素を具備するディスプレイであって、
前記画素は、複数の表示素子を具備し、
前記表示素子の各々は、部分的反射面に対して移動し、かつ、前記部分的反射面からある距離の地点に配置されるように構成された反射面を具備し、
前記複数の表示素子は、色付き光を出力するように構成された少なくとも１つの表示素子と、白光を干渉的に出力するように構成された少なくとも１つの表示素子とを具備し、
前記白光を出力するように構成された前記少なくとも１つの表示素子は、シアン光を出力するように構成された少なくとも１つの表示素子と、黄光を出力するように構成された少なくとも１つの表示素子とを具備するディスプレイ。
【請求項９７】
前記白光を出力するように構成された前記少なくとも１つの表示素子は、標準化白点を有する前記白光を出力する請求項９６に記載のディスプレイ。
【請求項９８】
前記標準化白点は、Ｄ５５、Ｄ６５、又はＤ７５のうちの１つである請求項９７に記載のディスプレイ。
【請求項９９】
前記複数の表示素子に関する照明源をさらに具備する請求項９６に記載のディスプレイ。
【請求項１００】
前記照明源は、前記ディスプレイによって反射される前記光と異なる白点を有する請求項９９に記載のディスプレイ。
【請求項１０１】
前記複数の表示素子は、赤光を出力するように構成された少なくとも１つの表示素子と、緑光を出力するように構成された少なくとも１つの表示素子と、青光を出力するように構成された少なくとも１つの表示素子と、を具備する請求項９６に記載のディスプレイ。
【請求項１０２】
前記複数の表示素子は、複数のインターフェロメトリックモジュレータを具備する請求項９６に記載のディスプレイ。
【請求項１０３】
前記複数の表示素子と電気的通信状態にあるプロセッサであって、画像データを処理するように構成されたプロセッサと、
前記プロセッサと電気的通信状態にあるメモリ装置と、をさらに具備する請求項９６に記載のディスプレイ。
【請求項１０４】
少なくとも１つの信号を前記複数の表示素子に送るように構成されたドライバ回路をさらに具備する請求項１０３に記載のディスプレイ。
【請求項１０５】
前記画像データの少なくとも一部分を前記ドライバ回路に送るように構成されたコントローラをさらに具備する請求項１０４に記載のディスプレイ。
【請求項１０６】
前記画像データを前記プロセッサに送るように構成された画像ソースモジュールをさらに具備する請求項１０３に記載のディスプレイ。
【請求項１０７】
前記画像ソースモジュールは、受信機、トランシーバ、及び送信機のうちの少なくとも１つを具備する請求項１０６に記載のディスプレイ。
【請求項１０８】
入力データを受け取るように及び前記入力データを前記プロセッサに伝達するように構成された入力装置をさらに具備する請求項１０３に記載のディスプレイ。
【請求項１０９】
画素を形成することを具備するディスプレイを製造する方法であって、
前記画素を形成することは、複数の表示素子を形成することを具備し、
前記複数の表示素子の各々は、部分的反射面に対して移動し、かつ、前記部分的反射面からある距離の地点に配置されるように構成された反射面を具備し、
前記複数の表示素子のうちの少なくとも１つの表示素子が色付き光を出力するように構成され、かつ、前記複数の表示素子のうちの少なくとも他の１つの表示素子が白光を干渉的に出力するように構成される状態に、それぞれの前記距離が選択され、
前記第１の白光を出力するように構成された前記少なくとも１つの表示素子を形成することは、シアン光を出力するように構成された少なくとも１つのインターフェロメトリックモジュレータと、黄光を出力するように構成された少なくとも１つのインターフェロメトリックモジュレータとを形成することを具備する方法。
【請求項１１０】
前記白光を出力するように構成された前記少なくとも１つの表示素子は、標準化白点を有する前記白光を出力する請求項１０９に記載の方法。
【請求項１１１】
前記ディスプレイによって反射される光が前記ディスプレイを照明する光と異なる白点を有するように、それぞれの前記距離が選択される請求項１１０に記載の方法。
【請求項１１２】
前記白点がＤ５５、Ｄ６５、又はＤ７５のうちの１つであるように、それぞれの前記距離が選択される請求項１１０に記載の方法。
【請求項１１３】
前記色付き光を出力するように構成された前記少なくとも１つの表示素子を形成することは、赤光を出力するように構成された少なくとも１つの表示素子、緑光を出力するように構成された少なくとも１つの表示素子、及び青光を出力するように構成された少なくとも１つの表示素子を形成することを具備する請求項１０９に記載の方法。
【請求項１１４】
請求項１０９乃至１１３のうちのいずれか１に記載の方法によって製造されるディスプレイ。
【請求項１１５】
画素を具備するディスプレイであって、
前記画素は、画像を表示する手段を具備し、
前記表示する手段は、光を反射させる手段と光を部分的に反射させる手段とを具備し、
前記反射させる手段は、前記部分的に反射させる手段からある距離の地点に配置されるように構成され、
前記表示する手段は、色付き光を出力するための第１の手段と、白光を干渉的に出力するための第２の手段とを具備し、
前記白光を出力するための前記第２の手段は、シアン光を出力するための手段と、黄光を出力するための手段とを具備するディスプレイ。
【請求項１１６】
前記表示する手段は、複数の表示素子を具備し、
前記反射させる手段は反射面を、部分的に反射させる手段は部分的反射面をそれぞれ具備し、
前記反射面は、前記部分的反射面に対して移動し、かつ、前記部分的反射面からある距離の地点に配置されるように構成される請求項１１５に記載のディスプレイ。
【請求項１１７】
前記白光を出力する手段は、標準化白点を有する白光を出力する手段を具備する請求項１１５に記載のディスプレイ。
【請求項１１８】
前記標準化白点は、Ｄ５５、Ｄ６５、又はＤ７５のうちの１つである請求項１１７に記載のディスプレイ。
【請求項１１９】
前記第１及び前記第２の光出力手段によって生成される白光と異なる白点を有する照明手段をさらに具備する請求項１１５に記載のディスプレイ。
【請求項１２０】
前記照明する手段は、照明源を具備する請求項１１９に記載のディスプレイ。
【請求項１２１】
複数の画素を具備するディスプレイであって、
前記画素の各々は、
赤光を出力するように構成された少なくとも１つのインターフェロメトリックモジュレータを具備する少なくとも１つの赤の副画素と、
緑光を出力するように構成された少なくとも１つのインターフェロメトリックモジュレータを具備する少なくとも１つの緑の副画素と、
青光を出力するように構成された少なくとも１つのインターフェロメトリックモジュレータを具備する少なくとも１つの青の副画素と、
色付き光を出力するように構成された少なくとも１つのインターフェロメトリックモジュレータを具備する少なくとも１つの白の副画素と、
を具備し、
前記色付き光を出力するように構成された前記少なくとも１つのインターフェロメトリックモジュレータは、シアン光を出力するように構成された少なくとも１つのインターフェロメトリックモジュレータと、黄光を出力するように構成された少なくとも１つのインターフェロメトリックモジュレータとを具備し、前記シアン光及び前記黄光は、白光を生成するために結合されるディスプレイ。
【請求項１２２】
前記ディスプレイは、標準化白点を有する前記白光を出力するように構成される請求項１２１に記載のディスプレイ。
【請求項１２３】
前記標準化白点は、Ｄ５５、Ｄ６５、又はＤ７５のうちの１つである請求項１２２に記載のディスプレイ。
【請求項１２４】
画素を具備するディスプレイであって、
前記画素は、画像を表示する手段を具備し、
前記表示する手段は、
赤光を干渉的に出力する手段と、
青光を干渉的に出力する手段と、
緑光を干渉的に出力する手段と、
白光を干渉的に出力する手段と、
を具備し、
前記白光を出力する手段は、シアン光を出力するための手段と、黄光を出力するための手段とを具備し、前記シアン光及び前記黄光は前記白光を生成するために結合するディスプレイ。
【請求項１２５】
前記白光を干渉的に出力するように構成された手段は、標準化白点を有する前記白光を出力する請求項１２４に記載のディスプレイ。
【請求項１２６】
画素を具備するディスプレイであって、
前記画素は、複数の表示素子を具備し、
前記表示素子の各々は、部分的反射面に対して移動し、かつ、前記部分的反射面からある距離の地点に配置されるように構成された反射面を具備し、
前記複数の表示素子は、色付き光を出力するように構成された少なくとも１つの表示素子と、白光を干渉的に出力するように構成された少なくとも１つの表示素子とを具備し、
前記白光を出力するように構成された前記少なくとも１つの表示素子は、白光で照明されたときにマゼンタ光と関連づけられた可視波長を選択的に透過させ、さらにその他の可視波長を実質的にフィルタリングするように構成された少なくとも１つのフィルタと、入射する緑光を選択的に反射させるように構成された少なくとも１つのインターフェロメトリックモジュレータと、を具備するディスプレイ。
【請求項１２７】
前記白光を出力するように構成された前記少なくとも１つの表示素子は、標準化白点を有する前記白光を出力する請求項１２６に記載のディスプレイ。
【請求項１２８】
前記標準化白点は、Ｄ５５、Ｄ６５、又はＤ７５のうちの１つである請求項１２７に記載のディスプレイ。
【請求項１２９】
前記複数の表示素子に関する照明源をさらに具備する請求項１２６に記載のディスプレイ。
【請求項１３０】
前記照明源は、前記ディスプレイによって反射される前記光と異なる白点を有する請求項１２９に記載のディスプレイ。
【請求項１３１】
前記複数の表示素子は、赤光を出力するように構成された少なくとも１つの表示素子と、緑光を出力するように構成された少なくとも１つの表示素子と、青光を出力するように構成された少なくとも１つの表示素子と、を具備する請求項１２６に記載のディスプレイ。
【請求項１３２】
前記複数の表示素子は、複数のインターフェロメトリックモジュレータを具備する請求項１２６に記載のディスプレイ。
【請求項１３３】
前記複数の表示素子と電気的通信状態にあるプロセッサであって、画像データを処理するように構成されたプロセッサと、
前記プロセッサと電気的通信状態にあるメモリ装置と、をさらに具備する請求項１２６に記載のディスプレイ。
【請求項１３４】
少なくとも１つの信号を前記複数の表示素子に送るように構成されたドライバ回路をさらに具備する請求項１３３に記載のディスプレイ。
【請求項１３５】
前記画像データの少なくとも一部分を前記ドライバ回路に送るように構成されたコントローラをさらに具備する請求項１３４に記載のディスプレイ。
【請求項１３６】
前記画像データを前記プロセッサに送るように構成された画像ソースモジュールをさらに具備する請求項１３３に記載のディスプレイ。
【請求項１３７】
前記画像ソースモジュールは、受信機、トランシーバ、及び送信機のうちの少なくとも１つを具備する請求項１３６に記載のディスプレイ。
【請求項１３８】
入力データを受け取るように及び前記入力データを前記プロセッサに伝達するように構成された入力装置をさらに具備する請求項１３３に記載のディスプレイ。
【請求項１３９】
画素を形成することを具備するディスプレイを製造する方法であって、
前記画素を形成することは、複数の表示素子を形成することを具備し、
前記複数の表示素子の各々は、部分的反射面に対して移動し、かつ、前記部分的反射面からある距離の地点に配置されるように構成された反射面を具備し、
前記複数の表示素子のうちの少なくとも１つの表示素子が色付き光を出力するように構成され、かつ、前記複数の表示素子のうちの少なくとも他の１つの表示素子が白光を干渉的に出力するように構成される状態に、それぞれの前記距離が選択され、
前記白光を出力するように構成された前記少なくとも１つの表示素子を形成することは、白光で照明されたときにマゼンタ光と関連づけられた可視波長を選択的に透過させ、さらにその他の可視波長を実質的にフィルタリングするように構成された少なくとも１つのフィルタと、入射する緑光を選択的に反射させるように構成された少なくとも１つのインターフェロメトリックモジュレータとを形成することを具備する方法。
【請求項１４０】
前記白光を出力するように構成された前記少なくとも１つの表示素子は、標準化白点を有する前記白光を出力する請求項１３９に記載の方法。
【請求項１４１】
前記ディスプレイによって反射される光が前記ディスプレイを照明する光と異なる白点を有するように、それぞれの前記距離が選択される請求項１４０に記載の方法。
【請求項１４２】
前記白点がＤ５５、Ｄ６５、又はＤ７５のうちの１つであるように、それぞれの前記距離が選択される請求項１４０に記載の方法。
【請求項１４３】
前記色付き光を出力するように構成された前記少なくとも１つの表示素子を形成することは、赤光を出力するように構成された少なくとも１つの表示素子、緑光を出力するように構成された少なくとも１つの表示素子、及び青光を出力するように構成された少なくとも１つの表示素子を形成することを具備する請求項１３９に記載の方法。
【請求項１４４】
請求項１３９乃至１４３のうちのいずれか１に記載の方法によって製造されるディスプレイ。
【請求項１４５】
画素を具備するディスプレイであって、
前記画素は、画像を表示する手段を具備し、
前記表示する手段は、光を反射させる手段と光を部分的に反射させる手段とを具備し、
前記反射させる手段は、前記部分的に反射させる手段からある距離の地点に配置されるように構成され、
前記表示する手段は、色付き光を出力するための第１の手段と、白光を干渉的に出力するための第２の手段とを具備し、
前記白光を出力するための前記第２の手段は、白光で照明されたときにマゼンタ光と関連づけられた可視波長を選択的に透過させ、さらにその他の可視波長を実質的にフィルタリングするための手段と、入射する緑光を選択的に反射させる手段と、を具備するディスプレイ。
【請求項１４６】
前記表示する手段は、複数の表示素子を具備し、
前記反射させる手段は反射面を、部分的に反射させる手段は部分的反射面をそれぞれ具備し、
前記反射面は、前記部分的反射面に対して移動し、かつ、前記部分的反射面からある距離の地点に配置されるように構成される請求項１４５に記載のディスプレイ。
【請求項１４７】
前記白光を出力する手段は、標準化白点を有する白光を出力する手段を具備する請求項１４５に記載のディスプレイ。
【請求項１４８】
前記標準化白点は、Ｄ５５、Ｄ６５、又はＤ７５のうちの１つである請求項１４７に記載のディスプレイ。
【請求項１４９】
前記第１及び前記第２の光出力手段によって生成される白光と異なる白点を有する照明手段をさらに具備する請求項１４５に記載のディスプレイ。
【請求項１５０】
前記照明する手段は、照明源を具備する請求項１４９に記載のディスプレイ。
【請求項１５１】
複数の画素を具備するディスプレイであって、
前記画素の各々は、
赤光を出力するように構成された少なくとも１つのインターフェロメトリックモジュレータを具備する少なくとも１つの赤の副画素と、
緑光を出力するように構成された少なくとも１つのインターフェロメトリックモジュレータを具備する少なくとも１つの緑の副画素と、
青光を出力するように構成された少なくとも１つのインターフェロメトリックモジュレータを具備する少なくとも１つの青の副画素と、
色付き光を出力するように構成された少なくとも１つのインターフェロメトリックモジュレータを具備する少なくとも１つの白の副画素と、
を具備し、
前記色付き光を出力するように構成された前記少なくとも１つのインターフェロメトリックモジュレータは、白光で照明されたときにマゼンタ光と関連づけられた可視波長を選択的に透過させ、さらにその他の可視波長を実質的にフィルタリングするように構成された少なくとも１つのフィルタと、入射する緑光を選択的に反射させるように構成された少なくとも１つのインターフェロメトリックモジュレータと、を具備するディスプレイ。
【請求項１５２】
前記ディスプレイは、標準化白点を有する前記白光を出力するように構成される請求項１５１に記載のディスプレイ。
【請求項１５３】
前記標準化白点は、Ｄ５５、Ｄ６５、又はＤ７５のうちの１つである請求項１５２に記載のディスプレイ。
【請求項１５４】
画素を具備するディスプレイであって、
前記画素は、画像を表示する手段を具備し、
前記表示する手段は、
赤光を干渉的に出力する手段と、
青光を干渉的に出力する手段と、
緑光を干渉的に出力する手段と、
白光を干渉的に出力する手段と、
を具備し、
前記白光を出力する手段は、白光で照明されたときにマゼンタ光と関連づけられた可視波長を選択的に透過させ、さらにその他の可視波長を実質的にフィルタリングするための手段と、入射する緑光を選択的に反射させる手段と、を具備するディスプレイ。
【請求項１５５】
前記白光を干渉的に出力するように構成された手段は、標準化白点を有する前記白光を出力する請求項１５４に記載のディスプレイ